(57)【特許請求の範囲】
【請求項１】
出力順序が指定された複数の画像データを有する原稿データを記憶する記憶部と、
前記出力順序に従って前記複数の画像データを印刷する印刷部と、
前記原稿データを複数部印刷する場合、前記印刷部に供給する記録紙を、第１の方向に配置された第１の記録紙と、前記第１の方向と異なる第２の方向に配置された第２の記録紙とに１部ごとに交互に切り替え、前記第１の記録紙がなくなった場合、前記第２の記録紙を前記印刷部に供給し、前記印刷部が前記原稿データを１部印刷するたびに白紙の区切り用紙を前記印刷部に供給する給紙部と、
前記区切り用紙を出力するかどうかを、ユーザが設定するための操作部と、
前記区切り用紙が格納されたトレイで用紙切れが発生した場合、前記区切り用紙を供給可能な代理トレイがあるか否かを判定する判定部と、
を備え、
前記第１の記録紙と前記第２の記録紙とは、同一のサイズであり、
前記区切り用紙のサイズは、前記第１の記録紙および前記第２の記録紙のサイズより大きいことを特徴とする印刷装置。
【発明の詳細な説明】
【技術分野】
【０００１】
本発明は、電子ソート機能を有するデジタル複写機あるいはプリンタ装置などの印刷装置に関する。
【背景技術】
【０００２】
デジタル複写機あるいはネットワークプリンタなどの印刷装置は、複数ページの原稿をコピーして複数部のコピー文書を作成する際に、コピー文書を１部ずつまとめて出力する電子ソート機能を有している。電子ソート機能を利用することによって、ユーザはコピー文書の仕分け作業を簡略化することができる。
【０００３】
具体的には、デジタル複写機は、複数ページの原稿を１ページずつ読み取って画像データを作成して、メモリに蓄積する。メモリに蓄積された画像データは、読み取られた順に印刷用紙に印刷される。これにより、原稿と同じページ順序のコピー文書が１部作成される。デジタル複写機は、上述の印刷処理をユーザが指定したコピー部数に応じて繰り返すことによって、電子ソート機能を実現している。
【０００４】
また、デジタル複写機は、電子ソート機能を利用して複数部のコピー文書を作成する場合、コピー文書の出力方向を１部ごとにＳｈｏｒｔ  Ｅｄｇｅ  Ｆｅｅｄ（ＳＥＦ）方向とＬｏｎｇ  Ｅｄｇｅ  Ｆｅｅｄ（ＬＥＦ）方向とに切り替えるクロスソートを行う。これにより、複数部のコピー文書において各部の区切りが明確になるため、ユーザは、コピー文書を１部ずつ仕分けする作業を容易に行うことができる。
【０００５】
ＳＥＦ方向は、印刷用紙の搬送方向と印刷用紙の長辺方向とが一致する方向であり、印刷用紙の縦方向に相当する。また、ＬＥＦ方向は、印刷用紙の搬送方向と印刷用紙の短辺方向とが一致する方向であり、印刷用紙の横方向に相当する。
【０００６】
このように、デジタル複写機がクロスソートを実行する場合、ＬＥＦ方向の印刷用紙を格納した給紙トレイと、ＳＥＦ方向の印刷用紙を格納した給紙トレイとが必要となる。しかし、たとえばＳＥＦ方向の印刷用紙の用紙切れがクロスソートの実行中に発生した場合、デジタル複写機は、ＳＥＦ方向の印刷用紙を補充するために印刷処理を中断しなければならなかった。そこで、クロスソートを実行中に用紙切れが発生しても印刷処理を継続することができる画像形成装置が、たとえば、特許文献１に開示されている。
【０００７】
【特許文献１】特開平９−１２７７４２号公報
【発明の開示】
【発明が解決しようとする課題】
【０００８】
特許文献１が開示する画像形成装置は、ＳＥＦ方向の印刷用紙を格納した用紙トレイと、ＬＥＦ方向の印刷用紙を格納した用紙トレイとのいずれか一方で用紙切れが発生した場合、反転ソートを実行する。反転ソートとは、１部ごとに画像データを１８０°回転させることによって、画像データを印刷する方向を１部ごとに反転させた状態で印刷文書を出力する出力形式のことである。
【０００９】
しかしながら、反転ソートは同一方向の印刷用紙を用いて全ての印刷文書を作成するため、反転ソートを利用した印刷文書の各部の区切りは、クロスソートを利用した印刷文書における各部の区切りより明確でないという問題があった。この結果、ユーザが印刷文書を１部ごとに仕分けを行う作業が煩雑となる。
【００１０】
そこで、本発明は前記問題点に鑑み、用紙切れが発生しても、各部の区切りが明確な状態で印刷文書の出力を継続できる印刷装置を提供することを目的とする。
【課題を解決するための手段】
【００１１】
上記課題を解決するため、請求項１記載の発明は、印刷装置であって、出力順序が指定された複数の画像データを有する原稿データを記憶する記憶部と、前記出力順序に従って前記複数の画像データを印刷する印刷部と、前記原稿データを複数部印刷する場合、前記印刷部に供給する記録紙を、第１の方向に配置された第１の記録紙と、前記第１の方向と異なる第２の方向に配置された第２の記録紙とに１部ごとに交互に切り替え、前記第１の記録紙がなくなった場合、前記第２の記録紙を前記印刷部に供給し、前記印刷部が前記原稿データを１部印刷するたびに白紙の区切り用紙を前記印刷部に供給する給紙部と、前記区切り用紙を出力するかどうかを、ユーザが設定するための操作部と、前記区切り用紙が格納されたトレイで用紙切れが発生した場合、前記区切り用紙を供給可能な代理トレイがあるか否かを判定する判定部と、を備え、前記第１の記録紙と前記第２の記録紙とは、同一のサイズであり、前記区切り用紙のサイズは、前記第１の記録紙および前記第２の記録紙のサイズより大きいことを特徴とする。
【発明の効果】
【００１４】
本発明に係る印刷装置は、原稿データを複数部印刷する場合、第１の記録紙と第２の記録紙とに１部ごとに交互に切り替えて原稿データを印刷する。そして、本発明に係る印刷装置は、第１の記録紙がなくなった場合、第２の記録紙を用いて原稿データの印刷を継続し、原稿データを１部印刷するたびに区切り用紙を出力する。これにより、本発明に係る印刷装置は、用紙切れが発生しても、各部の区切りを明確にした状態で原稿データの印刷を継続できるため、印刷文書を１部ごとに仕分けする作業を簡略化することができる。
【発明を実施するための最良の形態】
【００１５】
以下、図面を参照しつつ本発明の一実施の形態について説明する。ここでは、本発明の印刷装置の一例として、デジタル複写機を例にして説明する。図１は、本実施の形態に係るデジタル複写機の構成を示すブロック図である。
【００１６】
まず、図１に示すデジタル複写機１の構成について説明する。デジタル複写機１は、制御部１１と、操作部１２と、タッチパネル式ディスプレイ１３と、スキャナ部１４と、給紙トレイ１５１、１５２、１５３と、用紙センサ１６１、１６２、１６３と、給紙部１７と、プリンタ部１８とを備える。なお、図１に示すデジタル複写機１では、本実施の形態の説明で必要な機能部のみを示しており、排紙トレイなどの表示を省略している。
【００１７】
制御部１１は、マイクロプロセッサ、メインメモリ（ＲＡＭ）などを含み、デジタル複写機１の全体制御を行う。また、制御部１１は、画像データメモリ１１１と、用紙管理部１１２と、画像処理部１１３とを有する。
【００１８】
操作部１２は、デジタル複写機１に対する各種の指示を入力するためのハードウェアキーなどで構成される。タッチパネル式ディスプレイ１３は、デジタル複写機１に関する情報、および各種の操作メニューを表示する。ユーザは、操作部１２およびタッチパネル式ディスプレイ１３（以下、「本体操作部」という）を利用して、デジタル複写機１の各種操作をすることが可能である。
【００１９】
スキャナ部１４は、オートドキュメントフィーダ（図示省略）等にセットされた原稿を１ページずつ読み取り、１ページごとの画像データを作成する。また、スキャナ部１４は、原稿の用紙サイズおよび原稿の読み取り方向を検知し、制御部１１に通知する。
【００２０】
給紙トレイ１５１、１５２、１５３は、様々なサイズの印刷用紙を格納する。給紙トレイ１５１は、ＬＥＦ方向のＡ４用紙を格納する。給紙トレイ１５２は、ＳＥＦ方向のＡ４用紙を格納する。
【００２１】
用紙センサ１６１、１６２、１６３は、給紙トレイ１５１、１５２、１５３にそれぞれ対応して配置されており、各給紙トレイに格納された印刷用紙の有無を検出する。用紙センサ１６１、１６２、１６３は、対応する給紙トレイで用紙切れが発生した場合、制御部１１に用紙切れの発生を通知する。
【００２２】
給紙部１７は、原稿の用紙サイズあるいはユーザによって指定された用紙サイズなどに基づいて、給紙トレイ１５１、１５２、１５３のうちいずれか一つを選択する。給紙部１７が選択した給紙トレイ（以下、「選択トレイ」という）から、印刷用紙がプリンタ部１８に供給される。プリンタ部１８は、給紙部１７から供給された印刷用紙に、各ページの画像データを印刷する。
【００２３】
次に、制御部１１が有する各機能部について説明する。画像データメモリ１１１は、スキャナ部１４が作成した１ページごとの画像データを記憶する。画像データは、スキャナ部１４が読み込んだページの順序と対応付けられて記憶される。なお、画像データメモリ１１１は、制御部１１のＲＡＭ（図示省略）の記憶領域を一部利用してもよい。あるいは、画像データメモリ１１１は、ハードディスク装置などで構成されてもよい。
【００２４】
用紙管理部１１２は、用紙センサ１６１、１６２、１６３からの用紙切れの通知に基づいて、タッチパネル式ディスプレイ１３などを介して用紙切れが発生したことをユーザに通知する。また、用紙管理部１１２は、クロスソートで使用する二つの給紙トレイ（以下、「指定トレイ」という）のうちいずれか一方で用紙切れが発生した場合、コピー文書の作成を継続するために、指定トレイの再設定処理を行う。
【００２５】
画像処理部１１３は、給紙部１７によって供給される印刷用紙の方向と、画像データメモリ１１１に記憶された画像データの方向とを一致させるために、画像データの回転処理を行う。
【００２６】
次に、図２を用いてデジタル複写機１の動作の概略を説明する。図２は、デジタル複写機１が出力する複数部のコピー文書の一例を示す図である。なお、コピー文書とは、原稿の全ページをコピーして出力したものであり、コピー部数の１部に相当する。
【００２７】
まず、デジタル複写機１は、クロスソートを利用して複数部のコピー文書を作成する。図２に示すように、コピー文書は、Ａ４用紙を用いて作成され、１部目がＬＥＦ方向、２部目がＳＥＦ方向、３部目がＬＥＦ方向で出力される。したがって、４部目のコピー文書は、通常であれば全ページがＳＥＦ方向で出力される。
【００２８】
ここで、４部目の１ページが出力された時点で、ＳＥＦ方向の印刷用紙の用紙切れが発生した場合を考える。この場合、デジタル複写機１は、クロスソートに代えて挿入ソートを実行する。挿入ソートとは、全てのコピー文書を同一の方向で出力し、コピー文書を１部出力するたびに各部の区切りを示す区切り用紙を出力する出力形式である。
【００２９】
図２に示すように、デジタル複写機１が挿入ソートを実行することにより、４部目の２ページ以降の全ページと、５部目以降の全ページとが、ＬＥＦ方向で出力される。また、５部目以降のコピー文書が作成される前に、区切り用紙としてＬＥＦ方向のＢ４用紙が、白紙の状態で出力される。なお、各部の区切りを明確にするために、区切り用紙のサイズは、コピー文書の作成に使用される印刷用紙のサイズよりも大きい方が望ましい。また、用紙管理部１１２には、区切り用紙を出力する給紙トレイが予め設定されている。
【００３０】
このように、デジタル複写機１は、クロスソートを利用したコピー文書の作成中に用紙切れが発生しても、挿入ソートに切り替えてコピー文書の作成を継続する。したがって、用紙切れが発生しても、各部の区切りが明確な複数部のコピー文書が作成される。
【００３１】
次に、デジタル複写機１の動作について図３を用いて説明する。図３は、デジタル複写機１が複数部のコピー文書を作成する際の動作を示すフローチャートである。
【００３２】
以下、コピー文書を１部作成する際のデジタル複写機１の動作について説明する。
【００３３】
まず、ユーザが、スキャナ部１４のオートドキュメントフィーダ（図示省略）にＡ４サイズの原稿をＬＥＦ方向にセットし、本体操作部を操作してコピーの設定情報を入力する。コピーの設定情報とは、たとえば、コピー倍率、コピー濃度、コピー文書の出力形式あるいはコピー部数などである。ここでは、ユーザがコピー倍率を等倍に設定し、コピー文書の出力形式としてクロスソートを設定すると仮定する。
【００３４】
コピーの設定情報の入力後、ユーザが本体操作部を操作してコピー開始を指示することによって、デジタル複写機１は、図３に示す処理を開始する。すなわち、デジタル複写機１は、ユーザが入力したコピーの設定情報に基づいて、印刷準備処理を実行する（ステップＳ１）。
【００３５】
具体的には、スキャナ部１４が原稿を１ページずつ読み取り、各ページの画像データを作成する。この結果、ＬＥＦ方向の画像データが作成される。各ページの画像データは、スキャナ部１４が原稿の各ページを読み込んだ順序と対応付けられて画像データメモリ１１１に記憶される。
【００３６】
次に、用紙管理部１１２は、スキャナ部１４が検知した原稿の用紙サイズと、コピーの設定情報とに基づいて、クロスソートで使用する指定トレイを設定する。ここでは、コピー設定情報に基づいて、ＬＥＦ方向のＡ４用紙を格納した給紙トレイ１５１と、ＳＥＦ方向のＡ４用紙を格納した給紙トレイ１５２とが、指定トレイとして指定される。
【００３７】
上述の印刷準備処理の後で、給紙部１７は、最初の１部目をコピーするために、指定トレイとして設定された二つの給紙トレイのうち、給紙トレイ１５１を選択トレイとして選択する（ステップＳ２）。ステップＳ２に示す処理の後で、デジタル複写機１は、コピー文書の作成を開始する。つまり、制御部１１が、スキャナ部１４が読み込んだページの順序に基づいて、画像データメモリ１１１が記憶する画像データの中から印刷する画像データを指定する（ステップＳ３）。
【００３８】
給紙部１７は、選択トレイに格納された印刷用紙をプリンタ部１８に供給する。プリンタ部１８は、指定された画像データを印刷用紙に印刷する（ステップＳ４）。なお、印刷用紙の方向と画像データの方向とが一致しない場合、画像処理部１１３が画像データの回転処理を行う。たとえば、選択トレイとして給紙トレイ１５２が設定されている場合、Ａ４用紙の方向（ＳＥＦ方向）と、画像データの方向（ＬＥＦ方向）とが一致しない。この場合、ステップＳ４に示す処理が実行される前に、画像処理部１１３が、指定された画像データを９０°回転させる。プリンタ部１８は、回転処理が行われた画像データを、ＳＥＦ方向のＡ４用紙に印刷する。
【００３９】
ステップＳ４に示す処理の後で、選択トレイで用紙切れが発生していない場合（ステップＳ５においてＮｏ）、制御部１１は、指定された画像データが最終ページに対応するかどうかを確認する（ステップＳ６）。指定された画像データが最終ページに対応しない場合（ステップＳ６においてＮｏ）、制御部１１は、次のページに対応する画像データを印刷するために、ステップＳ３に示す処理を実行する。
【００４０】
デジタル複写機１は、指定された画像データが最終ページに対応する（ステップＳ６においてＹｅｓ）まで、上述の処理を繰り返す。これにより、全ページの方向がＬＥＦ方向またはＳＥＦ方向に揃ったコピー文書が１部作成される。
【００４１】
以下、上述の処理中に用紙切れが発生した場合のデジタル複写機１の動作について説明する。すなわち、選択トレイで用紙切れが発生した場合（ステップＳ５においてＹｅｓ）のデジタル複写機１の動作について説明する。
【００４２】
ステップＳ４に示す処理の後で、選択トレイに対応するセンサ部が用紙切れの発生を通知した場合（ステップＳ５においてＹｅｓ）、デジタル複写機１は、指定トレイおよび選択トレイの再設定を行う（ステップＳ７）。
【００４３】
図４は、指定トレイおよび選択トレイの再設定処理におけるデジタル複写機１の動作を示すフローチャートである。まず、選択トレイと同条件の給紙トレイがある場合（ステップＳ７１においてＹｅｓ）、同条件の給紙トレイが指定トレイおよび選択トレイとして設定される（ステップＳ７２）。そして、デジタル複写機１は、図４に示す処理を終了する。
【００４４】
たとえば、選択トレイが給紙トレイ１５１であり、給紙トレイ１５３にＬＥＦ方向のＡ４用紙が格納されていた場合を考える。この場合、給紙トレイ１５１に代えて、給紙トレイ１５３が指定トレイおよび選択トレイとして設定される。これにより、選択トレイで用紙切れが発生しても、クロスソートを利用したコピー文書の作成が継続される。
【００４５】
一方、同条件の給紙トレイがない場合（ステップＳ７１においてＮｏ）、用紙管理部１１２は、選択トレイが格納していた印刷用紙と同じサイズの印刷用紙を格納する他の給紙トレイがあるかどうかを判定する（ステップＳ７３）。このとき、印刷用紙が格納されている方向は考慮されない。
【００４６】
他の給紙トレイがある場合（ステップＳ７３においてＹｅｓ）、他の給紙トレイが指定トレイおよび選択トレイとして設定される（ステップＳ７４）。そして、デジタル複写機１は、図４に示す処理を終了する。
【００４７】
たとえば、選択トレイが給紙トレイ１５２であり、他の給紙トレイにＳＥＦ方向のＡ４用紙が格納されていない場合、用紙管理部１１２は、ＬＥＦ方向のＡ４用紙が格納された給紙トレイ１５１を指定トレイに設定する。この場合であれば、指定トレイとして、一つの給紙トレイが設定される。また、給紙部１７は、給紙トレイ１５１を選択トレイに設定する。この結果、図２に示す４部目のコピー文書のように、ＳＥＦ方向に印刷されたページとＬＥＦ方向に印刷されたページとが混在したコピー文書が１部作成される。また、ステップＳ７４に示す処理が行われた場合、デジタル複写機１は、クロスソートに代えて、挿入ソートを利用してコピー文書を作成する。なお、挿入ソートの各部の区切り処理については、後述する。
【００４８】
一方、同一サイズの印刷用紙を格納した他の給紙トレイがない場合（ステップＳ７３においてＮｏ）、用紙管理部１１２は、指定トレイおよび選択トレイの再設定が不可であると判定し（ステップＳ７５）、図４に示す処理を終了する。
【００４９】
デジタル複写機１は、図４に示す処理を実行した後で、ステップＳ８（図３参照）の処理を実行する。つまり、指定トレイおよび選択トレイの再設定が行われた場合（ステップＳ８においてＹｅｓ）、デジタル複写機１は、ステップＳ６に示す処理を実行する。一方、再設定が行われなかった場合（ステップＳ８においてＮｏ）、デジタル複写機１は、図３に示す処理を終了する。
【００５０】
このように、選択トレイで用紙切れが発生した場合、代わりの給紙トレイを選択することによって、デジタル複写機１は、コピー文書の作成を継続することができる。
【００５１】
以下、デジタル複写機１がコピー文書を１部作成した後で行う処理について、図３を用いて説明する。すなわち、印刷した画像データが最終ページに対応する場合（ステップＳ６においてＹｅｓ）の、デジタル複写機１の動作について説明する。
【００５２】
印刷した画像データが最終ページに対応する場合（ステップＳ６においてＹｅｓ）、制御部１１は、コピー文書を１部作成したと判断し、指定されたコピー部数を印刷したかどうかを確認する（ステップＳ９）。
【００５３】
指定されたコピー部数を印刷した場合（ステップＳ９においてＹｅｓ）、制御部１１は、図３に示す処理を終了する。一方、指定されたコピー部数を印刷していない場合（ステップＳ９においてＮｏ）、制御部１１は、区切り処理を実行する（ステップＳ１０）。
【００５４】
以下、ステップＳ１０に示す区切り処理について、図５を用いて説明する。図５は、区切り処理実行時のデジタル複写機１の処理を示すフローチャートである。
【００５５】
用紙方向が異なる二つの給紙トレイが指定トレイに設定されている場合（ステップＳ１０１においてＹｅｓ）、用紙管理部１１２はクロスソートの実行が可能であると判断し、給紙部１７は選択トレイを切り替える（ステップＳ１０２）。そして、制御部１１は、先頭ページに対応する画像データの印刷処理を実行するために、図３に示すステップＳ３に示す処理を実行する。
【００５６】
ここで、給紙トレイ１５１、１５２が指定トレイである場合を考える。選択トレイが給紙トレイ１５１であった場合、給紙部１７は、選択トレイを給紙トレイ１５２に設定する。一方、選択トレイが給紙トレイ１５２であった場合、給紙部１７は、選択トレイを給紙トレイ１５１に設定する。
【００５７】
一方、用紙方向の異なる二つの給紙トレイが指定トレイとして設定されていない場合（ステップＳ１０１においてＮｏ）、制御部１１は、クロスソートを実行できないと判断する。ステップＳ７４（図４参照）で説明したように、たとえば、指定トレイとして一つの給紙トレイ（給紙トレイ１５１）が設定されている場合、制御部１１は、クロスソートを利用してコピー文書を作成できないと判断する。そして、制御部１１は、挿入ソートの実行が許可されているかどうか確認する（ステップＳ１０３）。具体的には、制御部１１は、挿入ソートの実行の可否を示す許可情報を保持しており、許可情報を参照することによって挿入ソートが実行できるかどうかを確認する。なお、ユーザが本体操作部を操作して、許可情報を設定してもよい。
【００５８】
挿入ソートの実行が許可されている場合（ステップＳ１０３においてＹｅｓ）、給紙部１７は、プリンタ部１８を介して区切り用紙を出力する（ステップＳ１０４）。プリンタ部１８が区切り用紙に対する印刷処理を行わないため、区切り用紙は白紙の状態で出力される。そして、制御部１１は、先頭ページに対応する画像データの印刷処理を実行するために、ステップＳ３（図３参照）に示す処理を実行する。
【００５９】
一方、挿入ソートの実行が許可されていない場合（ステップＳ１０３においてＮｏ）、制御部１１は、先頭ページに対応する画像データの印刷処理を実行するために、ステップＳ３（図３参照）に示す処理を実行する。すなわち、デジタル複写機１は、クロスソートおよび挿入ソートのいずれの区切り処理も行うことなく、先頭ページの印刷処理を実行する。
【００６０】
以上説明したように、本実施の形態に係るデジタル複写機１は、複数ページの原稿を複数部コピーする場合、クロスソートを利用してコピー文書を作成する。ＳＥＦ方向およびＬＥＦ方向のいずれか一方の印刷用紙がなくなった場合、コピー文書は用紙切れが発生していない印刷用紙を用いて作成されるとともに、コピー文書を１部作成するごとに白紙の区切り用紙を挿入する挿入ソートが行われる。このため、本実施の形態に係るデジタル複写機１は、ＳＥＦ方向およびＬＥＦ方向の印刷用紙のいずれか一方で用紙切れが発生しても、各部の区切りが明瞭な状態でコピー文書の作成を継続することができる。
【００６１】
なお、本実施の形態において、デジタル複写機を例として説明したが、ネットワークプリンタなどに本実施の形態で説明した処理を適用してもよい。
【００６２】
また、本実施の形態において、区切り用紙を格納した給紙トレイは予め設定されている場合を例として説明したが、これに限られない。ユーザが、区切り用紙が格納された給紙トレイを、本体操作部を操作して設定してもよい。
【００６３】
また、本実施の形態において、クロスソート実行時に用紙切れが発生した場合を例にして説明したが、これに限られない。デジタル複写機１は、区切り用紙の用紙切れが発生した場合に、区切り用紙と同一サイズ、同一方向の印刷用紙を格納する他の給紙トレイがあるかどうかを判定してもよい。他の給紙トレイがある場合、デジタル複写機１は、挿入ソートを継続することができる。
【００６４】
また、本実施の形態において、ステップＳ７３（図４参照）に示す処理の具体例として、指定トレイとして一つの給紙トレイが設定される場合を説明したが、これに限られない。たとえば、選択トレイに設定された給紙トレイ１５２で用紙切れが発生し、給紙トレイ１５３がＬＥＦ方向のＡ４用紙を格納している場合、デジタル複写機１は、以下のような処理を行ってもよい。すなわち、ステップＳ７４（図４参照）において、給紙トレイ１５２に代えて、給紙トレイ１５３が指定トレイおよび選択トレイとして設定される。
【００６５】
この結果、指定トレイとして、用紙方向が同一の二つの給紙トレイが指定トレイとして設定される。したがって、ステップＳ１０１（図５参照）に示す処理において、用紙方向が異なる二つの給紙トレイが指定トレイとして設定されていない（ステップＳ１０１においてＮｏ）ため、制御部１１は、ステップＳ１０３（図５参照）に示す処理を実行すればよい。
【図面の簡単な説明】
【００６６】
【図１】本発明の一実施の形態に係るデジタル複写機の構成を示すブロック図である。
【図２】デジタル複写機１が出力する複数部のコピー文書の一例を示す図である。
【図３】デジタル複写機１が複数部のコピー文書を作成する動作を示すフローチャートである。
【図４】指定トレイおよび選択トレイの再設定処理におけるデジタル複写機１の動作を示すフローチャートである。
【図５】区切り処理におけるデジタル複写機１の動作を示すフローチャートである。
【符号の説明】
【００６７】
１  デジタル複写機
１１  制御部
１２  操作部
１３  タッチパネル式ディスプレイ
１４  スキャナ部
１７  給紙部
１８  プリンタ部
１１１  画像データメモリ
１１２  用紙管理部
１１３  画像処理部
１５１、１５２、１５３  給紙トレイ
１６１、１６２、１６３  用紙センサ
【図１】
0004730359.tif 000002
【図２】
0004730359.tif 000003
【図３】
0004730359.tif 000004
【図４】
0004730359.tif 000005
【図５】
0004730359.tif 000006